(57)【要約】【解決手段】接床面（１４）と、使用者が床面に足を置いて座ることのできる座部と上向傾斜面を含む上部支持面（１６）を備えている運動用具（１０）である。
2005525918.tif 000002
【特許請求の範囲】
【請求項１】
接床地面と、使用者の背の少なくとも一部を、床地面に対して、異なる傾きで支えることができる上部支持面を備えている運動用具。
【請求項２】
上部支持面が、接床地面に対して、異なる傾きの、少なくとも２つの面を有している請求項１記載の運動用具。
【請求項３】
本体と、本体に対し、限定された範囲で、動くことの可能な上部支持面を有している請求項１若しくは２記載の運動用具。
【請求項４】
上部支持面が、は、本体の変化に伴ってに対し、可動であする請求項１記載の運動用具。
【請求項５】
構成体の地面に対し、傾きが変化するに伴いつれ、接床面の異なる部分が床地面にと接触し、するようにかつ、接床地面の形が変化するが形成されている請求項１記載若しくは２記載の運動用具。
【請求項６】
接床地面が、本体の一端から対向端にわたって湾曲している請求項５記載の運動用具。
【請求項７】
接床地面が、凸面状に湾曲している請求項６記載の運動用具。
【請求項８】
接床地面が、連続的に変化していする請求項６若しくは７記載の運動用具。
【請求項９】
接床地面が、非連続的にで、地面と接触する複数の面を有し、それにより、傾きをが変化させうする請求項５記載の運動用具。
【請求項１０】
上部支持面が、使用者の座部となる窪んだ第１部分と、外側に湾曲し、使用者の背を支える第２部分を含んでいる請求項１記載の運動用具。
【請求項１１】
第１部分に隣接し、丸味を帯びた下方端部を含む請求項１０記載の運動用具。
【請求項１２】
第２部分に隣接し、丸味を帯びた下方端部を含む請求項１０記載の運動用具。
【請求項１３】
接床地面が、下方端部と上方端部の間に、凸面を形成している請求項１２記載の運動用具。
【請求項１４】
下方端部、上方端部と第１部分が、ほぼ同じ曲率半径を有している請求項１３記載の運動用具。
【請求項１５】
第２部分と接床地面が、ほぼ同じ曲率半径を有している請求項１３若しくは１４記載の運動用具。
【請求項１６】
膨張式であることを特徴とする請求項１記載の運動用具。
【請求項１７】
本体が、軟質で降状の材料で作られている請求項３記載の運動用具。
【請求項１８】
膨張可能な本体が、凸状の接床地面と互いに対向する丸味帯びた上方端部と下方端部を備えるた上部面と、前記下方端部に隣接する窪みのある内部と、前記座部と前記上方端部の間の凸状の接床地面とを備え、使用者が上部面で体重のかけ方を変えると、ことで、接床地面の異なる部分が床地面と接触するようになっている運動用具。
【請求項１９】
接床地面と、使用者が地面に足を着きながら座ることの出来る上面と、上部支持面とを備えている運動用具。
【請求項２０】
接床地面が、外側に湾曲している請求項１９記載の運動用具。
【請求項２１】
座部が窪んでいる請求項１９若しくは２０記載の運動用具。
【請求項２２】
背支持面が、外側に湾曲している請求項１９〜２１のいずれかに記載の含まれる運動用具。
【請求項２３】
接床地面が、構成体の傾きが変化するに伴ってつれ、接床面の地面と接触する不連続の複数の部分が、不連続に床面と接触するようになっているを含む請求項１９記載の運動用具。
【請求項２４】
傾きが変化するにつれ、  接床地面の異なる部分が、傾きが変化するにつれ、それぞれの床地面と接触するようになっている請求項１９記載の運動用具。
【請求項２５】
使用者が座部に座る位置、重心の変化や体重の分布によって、構成構造体の傾きが異なるようになっている請求項２４記載の運動用具。
【発明の詳細な説明】
【技術分野】
【０００１】
本発明は、運動用具に関する。
【背景技術】
【０００２】
運動をする人は、全く健康ではない人から多いに若しくは完全に健康な人まで、様々なフィットネスレベルを持ちうる運動能力は、人により、全く駄目から、何でもオーケーまで、大きく異なっている。、一般使用の普通に使用される運動用具は、様々な使用者の異なる運動能力フィットネスレベルに応じてを考慮して、合理的に適合もしくは調整しうるそれに添うものでなければならない。使用者のそのような運動能力フィットネスレベルは、前も先立って知ることも、またその運動用具の製造生産時や、販売時に知ることもはできない。従って結果として、その使用者にとってはその固有個々の運動能力フィットネスレベルに合わせて添うように、運動用具を調整したり使用者が変更したり調整したりすることがのでき出来るのが運動用具が望ましい。例えば運動能力にすぐれた比較的に健康な人にとってはであれば、その特定の運動用具は、使用者のとって多くのエネルギーを必要とする特別の運動用具が有効であるものでなければならない。反対に、運動能力の低い健康ではない人にとってはの場合、用具を使用するにあたって、要求されるエネルギー量は、少ないものでなくくてはならない。
【発明の開示】
【発明が解決しようとする課題】
【０００３】
その人の運動能力フィットネスレベルに関わりなく、運動をしている人で、人が可能な範囲内におけるエネルギー量の出力がすぐに、最高値を達するという人は減少する。例えば、運動用具を使用している際、一連の運動を終わらせる意思を持つ人は、自分の疲労度合いに合わせて、その用具を自ら調整できるのが望ましい。また、その用具を使って一連の運動用具を行う際、用具使用者が疲れていくにつれて、少ない労力で運動できるように調整可能とすることが望ましいな用具であるべきである。
【課題を解決するための手段】
【０００４】
本発明は、接床地面と接地面が変形するに伴って変化し、上部支持面を備え、上部支持面は、床面に対して、異なる傾斜をもって、使用者の少なくとも使用者の背中の少なくとも一部分を支える上部支持面を備ようになっているえた運動用具を提供するものである。
【０００５】
様々な配置にするべく、使用者の背は、上部支持面の異なる部分に当て置かれるとよい。上部支持面は、例えば接床地面に対し異なる傾きを持つ少なくとも２つ面を含んでいるか、接床地面に対して好適な外形であるのが望ましいとよい。
【０００６】
上部支持面は、本体と、本体に対し限られた範囲内で動かすことができるとよい。例えば、上部支持面は、例えば本体に対し、回動しうるのがとよい。柔軟性のある支持体可撓性の支持体若しく若しくは上部支持面を本体に対して動かしうるすその他の適宜適当のな手段方法により、上部支持面をは、本体に対し、回動しうるようにするのが望ましいとよい。
【０００７】
また、接床地面は、地面に対し運動用具が床面に対して動くにつれ、異なる部分で床地面と接触するようにするのがよいとよい。
【０００８】
接床地面は、本体の一端から他対向端にかけて湾曲しているのがとよい。接床地面は、外側に膨らんでおり、すなわち凸状に湾曲しているのがとよい。
【０００９】
接床地面は、連続的に、即ち接床地箇所面において不連続性となることなく連続的になしに変化しているのがするとよい。
【００１０】
本発明の別の実施の形態においては、接床地面は、不連続にで傾きが変化するに伴いつれ、床地面にの接触する複数の面を持っている。本発明発明において、この実施の形態では、本体用具の傾きでは、床地面に対して、段階的に調整可能である。
【００１１】
本体は、硬質、若しくはほぼ硬質であるのがとよい。
【００１２】
本体は、ゴム若しくはそれに類似した  可撓柔軟性のある材料から形成されてできている。
【００１３】
本発明の別の態様としては、膨張式とすることもあるであるとよい。
【００１４】
本体は、接床地面を形成する適宜の形状のフレーム部材を備えているのが含んでいるとよい。
【００１５】
上部面は、使用者の座部となる窪みのある第１部分と外側に湾曲し、使用者の背を支える面である第２部分とを備えているから構成される。
【００１６】
本発明のある実施の形態においては、接床地面をは、使用者が床地面に接触している足やふくらはぎを動かして、本体を回転させたり、傾けたりすることることによって動くようにしてあるとよい。
【００１７】
本体は、こその運動用具を使用する際に、使用者が握ることが出来る取手を備えているているのがとよい。
【００１８】
本発明は、また膨張式の本体と、外側に湾曲する接床地面と互いに対向し、丸く湾曲する上方端及び下方端を備える上面と下方端に隣接する座部と、上方端と座部との間との凸状支持面とを備え、上面にいる使用者が体重移動することにより、接床地面の異なる部分が床地面との接触するようになっている運動用具を提供するものであるる。
【００１９】
本発明は、接床面（１４）と、使用者が床面（３６）に足を置いて座ることのできる座部（２８）と上向傾斜面（３０）を含む上部支持面（１６）を備えている運動用具（１０）である。また頂端で使用者の背を支える上部湾曲面と接地面より成っている。
【発明を実施するための最良の形態】
【００２０】
図１，図２は、構造構造体（１２）、接床地面（１４）、上部支持面（１６）を備える第１の実施の形態であるの運動用具（１０）を示している。
【００２１】
図１に示す実施例では、構造体（１２）は、種々の方法で形成されるが、図１に示す実施の形態では、高密度の泡状物質のような弾性のある材料から成形された本体（１８）を備えてから構成されている。
【００２２】
別の実施の形態例では、本体（１８）は、中空になっており、合成樹脂のようなゴム又はそれに類似した材料から一体成形されている。、この点においては、体育館で使用される大きな丸いゴムボールを作るのと同じ技術が用いられている方法と同じである。これらのボールは、必要に応じて膨張したり収縮したりする。同様に構成構造体（１２）は、ゴム又はそれに類似した材料から一体成形され、公知の構造のバルブ（１９）を通してによって膨らませることが出来る。
【００２３】
本体（１８２）の長さ（２０）は、必要に応じて異なるが、典型的には特に８００mm程度であると良い。本体（１８２）の幅（２２）もまた必要に応じて異なるが、通常は５００mmであるとよい。接床地面（１４）は、外方に湾曲した凸面より成っている。上部支持面は（１６）は、外側に膨らんでれている下方端部（２６）、凹入窪み部分（２８）、上向傾斜面（３０）、および丸味を帯びた上方端部（３２）から成っている。
【００２４】
本体（１８）は、床面又は地面（３６）上で静止している。運動用具（１０）は、誰も用具を使用していない時には、図２に示す静止位置にある。（２０）、（２２）は、運動用具（１０）の長さと幅をそれぞれ示している。
【００２５】
図３、図４は、人が本体（１８）上に座った時、本体（１８）の向き配置が異なること事を示している。凹入窪み部分（２８）は、使用者が座るためのものであり、使用者の足が下方端部（２６）を越え、下方端部（２６）近くの床又は地面（３６）に置くことが出来るようになっている。使用者のふくらはぎ（図３）が、下方端部（２６）に近づくように、内側に移動した時、使用者の重心と本体（１８）は、右へ移動し、本体（１８）は、時計回りに回転することになる。一方、使用者のふくらはぎが、下方端部（２６）から離れると時、使用者の重心と本体（１８）は、左へ移動し、本体は、矢印（４２）で示すように、反時計回りに回転する。使用者の体重分布は、前述したように本体（４２）に対するふくらはぎの移動や、本体（４２）における使用者の位置のを移動やさせたり、それらの複合した動きによって異なる。
【００２６】
上方傾斜面（３０）は、使用者の背を支えるようになっている。前述したようにして、本体（１８）の傾度が変化するにつれ、上方傾斜面（３０）の角度は、床又は地面（３６）に対して、変化する。上方傾斜面（３０）当接してい上にある使用者の背は、本体（１８）の傾きに応じて変化する変化の影響を受ける。
【００２７】
この運動用具（１０）は、上部支持表面（１６）に座りながら、シットアップ（腹筋運動）腕立てのような運動をする人を支持するようになっている。本体（１８）が、反時計回りに最大限回転した時、使用者は、ほぼ垂直に座っていて、腕立てに必要な力は、比較的小さくなる減少させる。腕立てをするのに必要な力は、本体（１８）が時計回りに回転し、床面又地面（３６）に近づくにつれて、増大する。同時に、前述しているように、使用者のふくらはぎが、本体（１８）の下方端部（２６）から離れ、シットアップ腕立てを行うのに必要な力と、腕立てシットアップを行う際の間に、使用者の背により作られる弧の長さは増大する。
【００２８】
この運動用具（１０）は、使用者の足を、下方端部（２６）に対して内向き若しくは外向きに動かすことによって、各個々人の異なる運動能力フィットネスレベルに合わせて調整し、使用することが出来る。同様に、運動能力のすぐれた高い人は、が本体（１８０）を使う際、彼のエネルギー量や疲労度に応じて、本体（１８０）を調整することが出来る。
【００２９】
本体（１８）は、使用者がその上面上に全面的に寄りかかる際、有効で快適な支えになるようために、若干弾力性のある表面を備えていると好ましい。図３で示されているように、使用者の運動する際の手助けとなる取手（４４）を、本体（１８）の両側に備えているのがもよ良い。
【００３０】
図５は、運動用具（１０）の縦横断面図であり、袋状になっている構造体（１２）、ゴム又はゴムに類似した材料から一体成形された固くて可撓性柔軟性のある面（１８A）を備えている。用具の内部は、中空部（１８Ｂ）になっており、適当なポンプ（図示せず）により、バルブ（１９A）をもって、圧縮空気を入れることが出来る。
【００３１】
空気が入れられた時、構成構造体（１２A）へ圧縮空気を入れて膨らませるとは、図に示されているような横断面となるを形成する。
【００３２】
本体（１８）は、曲率半径R１の丸い下方端部（２６A）、曲率半径R２の凹入座部（２８A）、曲率半径R３の上向傾斜面（３０A）、曲率半径R４の上方端部（１４A）、曲率半径R４の接床地面（１４A）を備えている。実験によりを通じて、この運動用具（１０A）の各部の寸法がは、次以下の数値の場合、多くの使用者に適すしていることが分かった。
R1とR2とR4は、ほぼ等しく、かつ 
R3とR5は、ほぼ等しいである。
好適値は、110 ≦ R1 ≦ 120mm；及び
470 ≦ R3 ≦ 490mmである。
最適値は、R1 = 115mm；R3 = 480mmである。
【００３３】
前述の曲率半径を持つ用具の長さ（L）は、800から900mmの間で、850mmが好ましい。用具の高さ（H）は、420から440mmの間で、好ましくは、430mmが好ましいである。
【００３４】
この運動用具（10A）は、それぞれ体形が異なり、また運動能力フィットネスレベルも違う幅広い層の使用者にとって、使いやすい用具にするのが、ねらいである。実験を通じて到達した前述の値は、予想される大部分将来の使用者たちにとって、好適な値変数であることが分かった。
【００３５】
図６、図７は、同一の技術思想と基づくが、構成を全く異にする本発明の別の実施の形態の運動用具（１０）と類似しているが、部分的に異なる運動用具(４６)を示している。
【００３６】
この運動用具（４６）は、接床地面（５２）を形成する同一構成の互いに平行して離れているを有する、２二つ体のフレーム（４８）骨組みを備え、そのうちの一つが、図に示されている。座部（５４）は、フレーム部材（４８）の下端に固定され、背もたれ（５６）は、フレーム部材（４８）の上端と隣接している。背もたれ（５６）は、支持板（６０）上に、クッション面（５８）を備えている。支持面（６０）は、、可撓性のゴム支持部（６４）により、クロスバーに固定されている、ゴム支持部（６４）を支えている。クロスバーは、フレーム（４８）の上端に上方部分の柔軟性のあるゴム支持部（６４）により固定されている。
【００３７】
接地面（５２）は、第１平坦部（７０））、と、第１平坦部（７０）に対して傾斜している第２平坦部（７２）を有している。第１平坦部（７０）が、床面（７４）と接触すること、座部（５４）に座っている使用者が、ふくらはぎをフレーム部材（４８）の下方端部（７６）に向かって内側に動かすことにより、運動用具（４６７）が時計方向に回転し、第２平坦部（７２）が、床面（７４）と接触することは明らかである。
【００３８】
第１平坦部（７０）が床面（７４）と接触している時（図６）、又は第２平坦部（７２）が床面（７４）と接触している時（図７）、用具に座る使用者は、異なる力を必要とするでシットアップ腕立てを行うことができる。用具の両側に設けられている取手（７８）は、使用者の運動する際の補助となる。フレーム部材（４８）に対して、限定された範囲内で傾動しうる背もたれ（５６）は、用具の上で使用者が体の位置を変えることに容易に対応し、１一つの用具をもって、に様々な運動能力を持つ人に、随時対応することができる。
【００３９】
運動用具（１０）と（４６）との相違は、次以下のようである。運動用具（１０）は、前方の上向傾斜面（３０）にある使用者の背の位置をは、連続的に変化させるが、運動用具（４６）では、第１平坦部（７０）、又は、第２平坦部（７２）が床面（７４）に接するために、段階的に傾きを段階的に変化させる。
【００４０】
運動用具（４６）の接床地面（５２）は、用具が使用される際、多数の平坦部を備えることが可能で、安定性とをもたらし、異なる傾きを形成する達成させる。図６、図７においては、地面に接しているもう一つの平坦部（８０）を点線で示してあいる。補助の平面は、必要に応じて、別の平坦面部を追加することもできる。もちろん、運動用具（４６）に追加の平坦面を設けなくてもよい。の段階的調整、即ち設置する平坦面を設けることは、必ずしも必要ではない。他の構造や適当な形は、運動用具（４６）の地面に対する傾きを変化させ、運動用具（４６）の様々な傾きにより、使用者にかかるの負荷する抵抗の度合を変えることができ可能である。
【００４１】
運動用具（１０）、（４６）によるとは、接触する地面に対して、用具を動かすことにより、傾きを変えることが出来る。
【００４２】
図８、図９は、図１〜図７における運動用具（１０）、（４６）と類似するした利点を発揮しうる固定持つ運動用具（８４）を示している。
【００４３】
固定運動用具（８４）は、接床地面（９０）と、使用者がの背を寄りかからせることができる上向湾曲面（９２）を備えている。
【００４４】
もし使用者が、運動用具（８４）に隣接している床地面に座っている時、使用者の背は、上向湾曲面（９２）の左側に支えられていることになる。図８に示すように、使用者が、直立姿勢からわずかに位置を変えると、シットアップを行うのに必要な腕立てに要する労力は、比較的小さい。（図８）
【００４５】
もし使用者が、用具の上端に背を横たえると、使用者の背は結果的に水平になり、シットアップ腕立てを行うのに必要な力は増加する。しかしながら、使用者が右に動くと、背面は弓形になり、使用者の頭は用具の右側に向かって下がる頭を下げる。この時、シットアップ腕立てに必要な力は、最大となるに達する。
【００４６】
本発明の原理により、異なる外観と構成よりなる構造状の細部を有する。種様々々の運動用具を実現させることがで具体化できることは明らかである。特許請求の範囲を逸脱しない限り、このような変形例も、本発明の範囲内に含まれるである。
【図面の簡単な説明】
【００４７】
図は、本発明の実施形態を示すは、図面において具体例を用いて、以下のように表している。
【図１】本発明による運動用具の一実施例の斜視図。
【図２】図１の運動用具の側面側面図。
【図３】図１の運動用具の使用時の状態を示す側面図。
【図４】図１の運動用具の別の使用時の状態を示す側面図。
【図５】図１〜図４に示す運動見られる用具の各部の好ましい形のそれぞれの関係を示す図。
【図６】本発明による運動用具の第２の実施の形態の使用時におけるを側面    示す図。
【図７】本発明による運動用具の第２の実施の形態の異なる使用時における側面を示す図。
【図８】本発明による運動用具の第３の実施の形態の使用要領を示すを示す側面図。
【図９】本発明による運動用具の第３の実施の形態の異なる使用要領をを示す側面示す図。
【符号の説明】
【００４８】
１０、１０Ａ 運動用具
１２構造構造体
１４、１４Ａ 接地面
１６上部支持面
１８本体
１８A面
１８B中空部
１９、１９Ａ バルブ
２０長さ
２２幅
２６、２６Ａ 下方端部
２８凹入部
３０、３０Ａ 上向傾斜面窪み部分
３２上方端部
３６床面又は地面
４２矢印
４４取手
４６運動用具
４８フレーム部材
５２接床地面
５４座部
５６背もたれ
５８クッション面
６０支持板
６４ゴム支持部
７０第１平坦部
７２第２平坦部
７４床面
７６下方端
７８取手
８０平坦部
８４運動用具
９０接床地面
９２上向湾曲面
【図１】
2005525918.tif 000003
【図２】
2005525918.tif 000004
【図３】
2005525918.tif 000005
【図４】
2005525918.tif 000006
【図５】
2005525918.tif 000007
【図６】
2005525918.tif 000008
【図７】
2005525918.tif 000009
【図８】
2005525918.tif 000010
【図９】
2005525918.tif 000011
【手続補正書】
【提出日】平成16年9月22日(2004.9.22)
【手続補正１】
【補正対象書類名】特許請求の範囲
【補正対象項目名】全文
【補正方法】変更
【補正の内容】
【特許請求の範囲】
【請求項１】
膨張式の本体よりなり、この本体が、少なくとも部分的に外側に湾曲している接床面と、使用者が座る座部を含む上面とを備えてある運動用具。
【請求項２】
接床面が、本体の傾きが変化することにより、床面の異なる部分と接触するようになっている請求項１記載の運動用具。
【請求項３】
座部の高さが、本体の傾きが変化することにより、異なるようになっている請求項２記載の運動用具。
【請求項４】
接床面が、一端から他端にかけて湾曲している請求項１記載の運動用具。
【請求項５】
接床面が凸状である請求項４記載の運動用具。
【請求項６】
上面が、使用者の背の少なくとも一部分を、床面に対して異なる傾きで、支持するようになっている支持面を含むことを特徴とする請求項１記載の運動用具。
【請求項７】
上部支持面が、外側に湾曲している請求項６記載の運動用具。
【請求項８】
上面が、膨張式の本体の変形に伴って、接床面に対し、限定された範囲内で動くようになっている請求項１記載の運動用具。
【請求項９】
本体が、ほぼ同じ曲率半径を持つ丸味を帯びた下端部と上端部を備えている請求項１記載の運動用具。
【請求項１０】
本体が、互いに対向する上端部及び下端部と、上端部と下端部の間に位置する接床面とを備え、上面上に座っている使用者の重心の移動に伴い、前記接床面が異なる位置で床面に接触するようになっている請求項１記載の運動用具。
【請求項１１】
座部に座っている使用者は、その足を、下端部を越えて、床面上に位置させることができるようになっている請求項１０記載の運動用具。
【請求項１２】
接床面が、第１の側面から見たとき、外側に湾曲し、第１の側面に対して、直交する第２の側面から見たとき、ほぼ直線になるようにしたことを特徴とする請求項１記載の運動用具。
【国際調査報告】
2005525918.tif 000012
2005525918.tif 000013
2005525918.tif 000014